(57)【要約】      （修正有）【課題】生産性に優れ、脱げない機能を具えて履き心地よく、優れたデザインの外観を備える抜止めストッパー付きスリッパを提供する。【解決手段】長細状の底部の前半部に、甲皮表層材３ａと甲皮裏層材３ｂが重合されてなる甲部材１０から甲部が設けられ、甲部の開口端側の内表面に帯状抜止めストッパー部材８が左右横断方向に細長く縫着配備されてなる。甲皮表層材３ａは、織地からなる甲皮表層外面材３ａ１と柔軟性に富むＥＶＡ材製であって所要厚のクッションシート材７ｂからなる甲皮表層内面材３ａ２が接着され、甲皮裏層材３ｂは、柔軟で高密度のニット地からなる甲皮裏層下面材３ｂ１と中硬質の保形性を有するＥＶＡ材製の保形シートからなる甲皮裏層上面材３ｂ２が接着されてなる。【選択図】図１０
0003211464.tif 000002
【実用新案登録請求の範囲】
【請求項１】
長細状の底部の前半部に、甲皮表層材と甲皮裏層材が重合されてなる甲部材から甲部が設けられ、該甲部の開口端側の内表面に帯状抜止めストッパー部材が左右横断方向に細長く縫着配備されてなる抜止めストッパー付きスリッパ。
【請求項２】
長細状の底部の前半部に、甲皮表層材と甲皮裏層材が重合されてなる甲部材から甲部が設けられ、該甲部の開口端側の内表面に帯状の抜止めストッパーが左右横断方向に細長く縫着配備されてなる抜止めストッパー付きスリッパであって、前記甲皮表層材は、織地からなる甲皮表層外面材と柔軟性に富むＥＶＡ材製であって所要厚のクッションシート材からなる甲皮表層内面材が接着され、前記甲皮裏層材は、柔軟で高密度のニット地からなる甲皮裏層下面材と中硬質の保形性を有するＥＶＡ材製の保形シートからなる甲皮裏層上面材が接着されてなる抜止めストッパー付きスリッパスリッパ。
【請求項３】
前記甲皮表層材は、柔軟性に富むＥＶＡ材製であって所要厚のクッションシート材からなる甲皮表層内面材の一面に織地からなる甲皮表層外面材が接着され、甲皮表層内面材の他面にニット生地が接着されてなる請求項２の抜止めストッパー付きスリッパ。
【請求項４】
織地又はニット地からなる表装シートと柔軟性と弾力性に富む所要厚のＥＶＡ製クッションシートが接着されて設けられる表装帯状原材が所要幅の帯状に裁断された後、ＥＶＡ製クッションシートの外表面が内面となるように折曲して、一方の側端面と他方の側端面を突き合わせ、その突合面とＥＶＡ製クッションシートの外表面の対応面を接着した後、所要長さに裁断して帯状抜止めストッパー部材が設けられてなる請求項２又は請求項３の抜止めストッパー付きスリッパ。
【請求項５】
前記帯状抜止めストッパー部材が、その一方の側端面と他方の側端面の接続面側が甲皮裏層材に、その帯状抜止めストッパー部材の一側縁が甲皮裏層材と甲皮表層材の縫着接続部に沿って、接面された後、前記甲皮表層材と甲皮裏層材とに貫通縫製されて内表面に抜止めストッパーが配備された甲部材が構成される請求項２、請求項３又は請求項４の抜止めストッパー付きスリッパ。
【請求項６】
前記甲部材は、基端縁の一部とそれに続く一側端部と他側端部が長細状の底部の前半部に裏返状態で縫着されて甲部が設けられてなる請求項２、請求項３、請求項４又は請求項５の抜止めストッパー付きスリッパ。
【考案の詳細な説明】
【技術分野】
【０００１】
本考案は、抜止めストッパー付きスリッパに関するものである。
【背景技術】
【０００２】
従来、特許文献1では、帯状布を甲部外表面の開口沿いに重合させてその一方側縁を甲部に縫着すると共に、該帯状布の他方側縁を甲部の開口端で甲部内表面側へ折曲げて、該折曲部を甲部に縫着し、一方、甲部内表面の開口沿いに、スポンジ層の片面に薄布を張着した一定幅の弾性帯状をスポンジ層が内側になるように両側縁を折曲げた状態にて二条の縫糸により縫着したことを特徴とするスリッパが提案されている。
【０００３】
従来、特許文献２では、スリッパ本体の甲部内側に、足指の付け根付近へ足指の方向と直角の方向に断面円弧状に膨出し、その膨出下面が足指の上面と弾力的に接触できる脱げ止め用突部であって、該突部は足首側２ｂより広くした爪先側内側２ａの爪先側に設けたスリッパが提案されている。
【先行技術文献】
【特許文献】
【０００４】
【特許文献１】実開平１−１６９１０１号登録公報
【特許文献２】実用新案登録第３１１８８５６号公報
【考案の概要】
【考案が解決しようとする課題】
【０００５】
前記特許文献１のスリッパにおいて、帯状布を甲部外表面の開口沿いに重合させてその一方側縁を甲部に縫着すると共に、該帯状布の他方側縁を甲部の開口端で甲部内表面側へ折曲げて、該折曲部を甲部に縫着するのは、夏季用のスリッパでは、清涼感を求めるため、材料にサラン、いぐさを用いることが多く、それらは、足の甲にその材料が固く当りはき心地が悪くなるのを改善するものであった。
【０００６】
前記特許文献２のスリッパは、着用者により足の大小、指部の長短などは著しく相違するものであるから、脱げ止め用突部を足首側２ｂより広くして甲部の爪先側に一律に設けても着用者の足指に適合しないものであった。
【０００７】
本考案は、スリッパの甲部の使用資材に基く湾曲性と弾力性に基く保形性を具え、甲部の構造的要素が前記湾曲性、弾力性を高め、それらの性能を備える帯状抜止めストッパー部材が甲部の開口端内面に細長く帯状に配備され、着用時に着用者の甲部表面を弾圧しその摩擦力により抜け止め作用を奏することを目的になされたものである。
【課題を解決するための手段】
【０００８】
長細状の底部の前半部に、甲皮表層材と甲皮裏層材が重合されてなる甲部材から甲部が設けられ、該甲部の開口端側の内表面に帯状抜止めストッパー部材が左右横断方向に細長く縫着配備されてなる抜止めストッパー付きスリッパにある。
【０００９】
長細状の底部の前半部に、甲皮表層材と甲皮裏層材が重合されてなる甲部材から甲部が設けられ、該甲部の開口端側の内表面に帯状抜止めストッパー部材が左右横断方向に細長く縫着配備されてなる抜止めストッパー付きスリッパであって、前記甲皮表層材は、織地からなる甲皮表層外面材と柔軟性に富むＥＶＡ材製であって所要厚のクッションシート材からなる甲皮表層内面材が接着され、前記甲皮裏層材は、柔軟で高密度のニット地からなる甲皮裏層下面材と中硬質の保形性を有するＥＶＡ材製の保形シートからなる甲皮裏層上面材が接着されてなるものでもよいものである。
【００１０】
前記甲皮表層材は、柔軟性に富むＥＶＡ材製であって所要厚のクッションシート材からなる甲皮表層内面材の一面に織地からなる甲皮表層外面材が接着され、甲皮表層内面材の他面にニット生地が接着されてなるものでもよいものである。
【００１１】
織地又はニット地からなる表装シートと柔軟性と弾力性に富む所要厚のＥＶＡ製クッションシートが接着されて設けられる表装帯状原材が所要幅の帯状に裁断された後、ＥＶＡ製クッションシートの外表面が内面となるように折曲して、一方の側端面と他方の側端面を突き合わせ、その突合面とＥＶＡ製クッションシートの外表面の対応面を接着した後、所要長さに裁断して帯状抜止めストッパー部材が設けられてなるものでもよいものである。
【００１２】
前記帯状抜止めストッパー部材が、その一方の側端面と他方の側端面の接続面側が甲皮裏層材に、その帯状抜止めストッパー部材の一側縁が甲皮裏層材と甲皮表層材の縫着接続部に沿って、接面された後、前記甲皮表層材と甲皮裏層材とに貫通縫製されて内表面に抜止めストッパーが配備された甲部材が構成されてなるものでもよいものである。
【００１３】
前記甲部材は、基端縁の一部とそれに続く一側端部と他側端部が長細状の底部の前半部に裏返状態で縫着されて甲部が設けられてなるものでもよいものである。
【考案の効果】
【００１４】
本考案の抜止めストッパー付きスリッパは、甲部の内表面には、帯状抜止めストッパー部材が配備され、着用者の足の甲の外面を弾圧してスリッパの抜け止め作用を奏するものである。
【００１５】
本考案の抜止めストッパー付きスリッパの甲部は、甲皮表層材と甲皮裏層材とが重合されるものであるから、柔軟性に富むＥＶＡ甲皮表層材にソフトな感触の織地の甲皮表層外面材と柔軟性に富む所要厚のＥＶＡクッションシート材からなる甲皮表層内面材を接着して、外表面の柔軟性と当りの柔らかなクッション性を構成し、甲皮裏層材に中硬質のＥＶＡ材製の保形シートの裏層上面材が接着されるものであるから、その硬質の張に前記抜止めストッパーが支えられて着用者の足からスリッパの抜け止めを図るものである。
【００１６】
甲皮裏層材の甲皮裏層下面材を構成する柔軟で高密度のニット地の摩擦力によりスリッパの抜け止めが図れるものである。
【００１７】
帯状抜止めストッパー部材は、柔軟性と弾力性に富む所要厚のＥＶＡ製クッションシートの一面に織地又はニット地からなる表装シートを接着し、その重合クッションシートの他面の開放面を内側に二つ折りして一方の側端面と他方の側端面を片面中心で突き合わせて対応面を接着して表装帯状原材が構成され、それが所要長さに切断されて使用されるものであるから、弾力性と保形性に富むものである。
【００１８】
表装帯状原材が所要長さに裁断されて帯状抜止めストッパー部材に構成されているから、甲部材への縫着接続は、帯状抜止めストッパー部材の左右の側端部がスリッパの底部の前半部の上半底部と下半底部の間に挟まれて縫着されるだけで堅牢に構成することができるものである。
【００１９】
帯状抜止めストッパー部材の甲部材への縫着接続は、縫着接続部が糸の締め付けにより凹陥湾曲面を形成し、デザイン線が設けられるのである。
【００２０】
スリッパの甲部の使用資材に基く湾曲性と弾力性に基く保形性を具え、甲部の構造的要素が前記湾曲性、弾力性を高め、それらの性能を備える抜止ストッパーを甲部の開口端内面に細長く帯状に配備し、着用時に着用者の甲部表面を弾圧しその摩擦力により抜け止め作用を奏するものである。
【図面の簡単な説明】
【００２１】
【図１】本考案の第１実施例の抜止めストッパー付きスリッパを真横上方から見た全体の外観斜視図である。
【図２】同じく、本考案の実施例の抜止めストッパー付きスリッパを後方横上方から見た全体の外観斜視図である。
【図３】同じく、本考案の実施例の抜止めストッパー付きスリッパの甲部を構成する甲皮表層材の外面を上向きとした平面図である。
【図４】同じく、甲皮表層材の二層構造を示す縦断面図である。
【図５】同じく、本考案の実施例の抜止めストッパー付きスリッパの甲部を構成する甲皮裏層部材単体の内表面を上向きとした平面図である。
【図６】同じく、甲皮裏層部材単体の二層構造を示す縦断面図である。
【図７】甲皮表層材の外面を上向きとして、その上面に甲皮裏層材の着用者の甲部外面に接する内表面を下側に積重し、それらの基端縁を縫い合せて接続した状態の平面図である。
【図８】前記甲皮表層材と甲皮裏層材を接続した状態からそれらの接続基端縁を中心に甲皮表層材を甲皮裏層材に対して反転して甲皮表層材の内面と甲皮裏層材の内面とを突き合わせた状態の甲皮裏層材の内表面側を上面にして置いた状態の平面図である。
【図９】前記図８の状態の甲皮裏層材の開口端に沿う内表面に帯状抜止めストッパー部材を縫い付けた状態を示す平面図である。
【図１０】図９のＡ−Ａ線に沿う拡大説明断面図である。
【図１１】帯状抜止めストッパー部材となる表装帯状原材の一部断面斜視図である。
【図１２】帯状抜止めストッパー部材の断面斜視図である。
【図１３】本考案の第２実施例の抜止めストッパー付きスリッパの甲部を構成する甲皮表層材が三層構造であることを示す縦断面図である。
【図１４】本考案の第２実施例の抜止めストッパー付きスリッパにおいて、甲部の開口端側内面に帯状抜止めストッパー部材が縫い付けられた状態を示す拡大説明断面図である。
【考案を実施するための形態】
【００２２】
本考案の抜止めストッパー付きスリッパは、長細状の底部の前半部に甲部が設けられ、該甲部の開口端側の内表面に帯状抜止めストッパー部材が左右横断方向に細長く縫着配備されてなるものであり、また、前記甲部は、甲皮表層材と甲皮裏層材が重合されてなる甲部材から設けられてなるものであり、また、前記甲皮表層材は、織地からなる甲皮表層外面材と柔軟性に富むＥＶＡ材製であって所要厚のクッションシート材からなる甲皮表層内面材が接着されてなるものであり、また、前記甲皮裏層材は、柔軟で高密度のニット地からなる甲皮裏層下面材と中硬質の保形性を有するＥＶＡ材製の保形シートからなる甲皮裏層上面材が接着されてなるものであり、また、甲皮表層材は、柔軟性に富むＥＶＡ材製であって所要厚のクッションシート材からなる甲皮表層内面材の一面に織地からなる甲皮表層外面材が接着され、甲皮表層内面材の他面にニット生地が接着されてなるものであり、また、織地又はニット地からなる表装シートと柔軟性と弾力性に富む所要厚のＥＶＡ製クッションシートが接着されて設けられる表装帯状原材が所要幅の帯状に裁断された後、ＥＶＡ製クッションシート外表面が内面となるように折曲して、一方の側端面と他方の側端面を突き合わせ、その突合面とＥＶＡ製クッションシート外表面の対応面を接着した後、所要長さに裁断して帯状抜止めストッパー部材が設けられてなり、ＥＶＡ製クッションシート面が内面となるように折曲して、一方の側端面と他方の側端面を突き合わせ、その突合面とＥＶＡ製クッションシート面の対応内面を接着した後、所要長さに裁断して帯状抜止めストッパー部材が設けられてあり、また、前記帯状抜止めストッパー部材が、その一方の側端面と他方の側端面の接続面側が甲皮裏層材に、その帯状抜止めストッパー部材の一側縁が甲皮裏層材と甲皮表層材の縫着接続部に沿って接面された後、前記甲皮表層材と甲皮裏層材とに貫通縫製されて内表面に抜止めストッパーが配備された甲部材が構成されるものであり、また、前記甲部材は、基端縁の一部とそれに続く一側端部と他側端部が長細状の底部の前半部に裏返状態で縫着されて甲部が設けられてなるものである。
【実施例】
【００２３】
以下、本考案の抜止めストッパー付きスリッパを第１実施例として示す図１〜図１２により説明すると、第１実施例の本考案の抜止めストッパー付きスリッパ１は、長細状の底部２の前半部に抜止めストッパー４を内表面に設けた甲部３が配備されるものである。
【００２４】
前記甲部３の開口端側内面に、図１及び図２に示すように、抜止めストッパー４が配備される。
【００２５】
前記甲部３は、甲皮表層材３ａと甲皮裏層材３ｂが重合されて設けられる甲部材１０が配備される。
【００２６】
前記甲皮表層材３ａは、図３に示すように、織地からなる甲皮表層外面材３ａ１と柔軟性に富むＥＶＡ材製であって所要厚のクッションシート材からなる甲皮表層内面材３ａ２が接着され、かつ、図４に示すように、外形が裁断されてなるものである。
【００２７】
前記甲皮裏層材３ｂは、図５に示すように、柔軟で高密度のニット地からなる甲皮裏層下面材３ｂ１と中硬質の保形性を有するＥＶＡ材製の保形シートからなる甲皮裏層上面材３ｂ２が接着され、かつ、図６に示すように、外形が裁断されてなるものである。
【００２８】
図７に示すように、前記甲皮表層材３ａの甲皮表層外面材３ａ１に、前記甲皮裏層材３ｂが、その甲皮裏層下面材３ｂ１を対面して積重した後、前記甲皮表層材３ａの基端縁３ａ３と甲皮裏層材３ｂの基端縁３ｂ３を糸５により縫着され、甲皮表層材３ａと甲皮裏層材３ｂは接続される。
【００２９】
次に、図７に示す状態から、前記甲皮表層材３ａの下側に甲皮裏層材３ｂを、基端縁３ａ３と基端縁３ｂ３の縫着接続部６を中心に折曲して積重した状態において、さらに、その全体を反転させものが図８に示す状態である。
【００３０】
図９に示すように、織地又はニット地からなる表装シート７ａと柔軟性と弾力性に富む所要厚のＥＶＡ製クッションシート７ｂとが接着して設けられる表装帯状原材７が所要幅の帯状に裁断された後、図１０に示すように、ＥＶＡ製クッションシート７ｂの外表面７ｂ１が内面に、また、一方の側端面７ｂ２１と他方の側端面７ｂ２２が表装帯状原材７の外表面７ｂ１の中心位置で突き合わされ、それら外表面７ｂ１と一方の側端面７ｂ２１と他方の側端面７ｂ２２が接着されて帯状抜止めストッパー部材８が設けられる。
【００３１】
前記帯状抜止めストッパー部材８は所要長さに裁断されて甲皮裏層材３ｂに対面され、帯状抜止めストッパー部材８の一側縁が甲皮裏層材３ｂと甲皮表層材３ａの縫着接続部６に沿って、図９に示すように、甲皮裏層材３ｂに接面された後、帯状抜止めストッパー部材８の両側内側を糸９により前記甲皮表層材３ａと甲皮裏層材３ｂとに貫通縫製されて甲皮裏層材３ｂの内面側に抜止めストッパー４が配備された甲部材１０が設けられる。
【００３２】
前記甲部材１０は、基端縁１０ａの一部とそれに続く一側端部１０ｂ２１と他側端部１０ｂ２２が長細状の底部２の前半部に裏返状態で縫着された後、甲部材１０は、表側に吊り込まれて内側に抜止めストッパー４が配備された甲部３が設けられ、抜止めストッパー付きスリッパ１が構成されるものである。
【００３３】
次に、本考案の第２実施例の抜止めストッパー付きスリッパを図１３〜図１４により説明すると、第２実施例の甲皮表層材１２ａは、柔軟性に富むＥＶＡ材製であって所要厚のクッションシート材からなる甲皮表層内部材１２ａ２の一面に織地からなる甲皮表層外面材１２ａ１１が接着され、前記甲皮表層内部材１２ａ２の他面にニット生地からなる甲皮表層内面材１２ａ１２が接着され、かつ、図４に示すように、外形が同じに裁断されてなるものである。
【００３４】
前記甲皮表層材１２ａは、その後、前記本考案の第１実施例の甲皮裏層材３ｂと重合され、前記第１実施例と同様の製造工程で、図１４に示すように、帯状抜止めストッパー部材８が縫い付けられて補強された甲部材１１が設けられ、第２実施例の抜止めストッパー付きスリッパが設けられるものである。
【００３５】
本考案の抜止めストッパー付きスリッパは、前述のように構成されるものであるから、甲部３の内表面には、抜止めストッパー４が配備され、着用者の足の甲の外面を弾圧してスリッパの抜け止め作用を奏するものである。
【産業上の利用可能性】
【００３６】
本考案は、生産性にスグレ、脱げない機能を具えて履き心地よく、優れたデザイン性を外観に備える抜止めストッパー付きスリッパを提供できる。
【符号の説明】
【００３７】
１  抜止めストッパー付きスリッパ
２  底部
３  甲部
３ａ  甲皮表層材
３ａ１  甲皮表層外面材
３ａ２  甲皮表層内面材
３ａ３  基端縁
３ｂ  甲皮裏層材
３ｂ１  甲皮裏層下面材
３ｂ２  甲皮裏層上面材
３ｂ３  基端縁
４  抜止めストッパー
５  糸
６  縫着接続部
７  表装帯状原材
７ａ  表装シート
７ｂ  ＥＶＡ製クッションシート
７ｂ１  外表面
７ｂ２１  一方の側端面
７ｂ２２  他方の側端面
８  帯状抜止めストッパー部材
８ａ  一方の側端面
８ｂ  他方の側端面
９  糸
１０  甲部材
１０ａ  基端縁
１０ｂ２１  一側端部
１０ｂ２２  他側端部
１１  第２実施例の甲部材
１２ａ  第２実施例の甲皮表層材
１２ａ１１  甲皮表層外面材
１２ａ１２  甲皮表層内面材
１２ａ２  甲皮表層内部材
【図１】
0003211464.tif 000003
【図２】
0003211464.tif 000004
【図３】
0003211464.tif 000005
【図４】
0003211464.tif 000006
【図５】
0003211464.tif 000007
【図６】
0003211464.tif 000008
【図７】
0003211464.tif 000009
【図８】
0003211464.tif 000010
【図９】
0003211464.tif 000011
【図１０】
0003211464.tif 000012
【図１１】
0003211464.tif 000013
【図１２】
0003211464.tif 000014
【図１３】
0003211464.tif 000015
【図１４】
0003211464.tif 000016